(57)【特許請求の範囲】
【請求項１】
床面上に離形材を配置するステップと、
上記離形材の上面に所定厚さの移動棚用シート状レールを固定具で固定するステップと、
レールから所定距離はなれた位置に所定幅の端部プレートをレールの両側に固定具で固定するステップと、
上記レールを車両が乗り越えるため、上記離形材の上面で上記端部プレートとレールとの間に、当該レールから離れるにしたがってその上面が下位となるように傾斜されたスロープ部をモルタルにより形成するステップとを具備したことを特徴とする床部の形成方法。
【請求項２】
レールと端部プレートとの間における離形材の上面に金網を配置するステップを具備し
たことを特徴とする請求項１に記載の床部の形成方法。
【請求項３】
スロープ部を形成する際に、型枠を用いることを特徴とする請求項１または２に記載の床部の形成方法。
【請求項４】
床面上に、所定厚さの移動棚用シート状レールおよびこのレールの両側に、このレールを車両が乗り越えるためのスロープ部をモルタルにより形成する際に、少なくともレールおよびスロープ部と床面との間に離形材を配置するとともに、レールから所定距離はなれた位置に所定幅の端部プレートを固定具で固定し、且つ上記スロープ部を、レールから離れるにしたがってその上面が下位となるように傾斜させて形成していることを特徴とする床部構造。
【請求項５】
床面上に離形材を配置するステップと、
上記離形材の上面に所定厚さの移動棚用シート状レールを固定具で固定するステップと、
上記離形材の上面に上記レールの両側に当該レールを車両が乗り越えるため、当該レールから離れるにしたがってその上面が下位となるように傾斜され且つ下面が開放されたスロープ状の殻状部材を固定具で固定するステップと、上記殻状部材の内部にモルタルを充填するステップとを具備したことを特徴とする床部の形成方法。
【請求項６】
モルタルの替わりに、砂およびウレタン樹脂を用いることを特徴とする請求項５に記載の床部の形成方法。
【請求項７】
床面上に、所定厚さの移動棚用シート状レールを固定具で固定するとともにこのレールの両側に上記レールを車両が乗り越えるためのスロープ部を形成する際に、少なくともレールおよびスロープ部と床面との間に離形材を配置するとともに、上記レールから離れるにしたがってその上面が下位となるように傾斜され且つ下面が開放されたスロープ状の殻状部材を固定具で固定し、内部にモルタルを充填させることにより形成したことを特徴とする床部構造。
【請求項８】
モルタルの替わりに、砂およびウレタン樹脂を用いたことを特徴とする請求項７に記載
の床部構造。
【発明の詳細な説明】
【技術分野】
【０００１】
本発明は、移動棚を案内するためのレールが敷設された床部の形成方法および床部構造に関するものである。
【背景技術】
【０００２】
従来、移動棚は床面上に敷設されたレール上を移動自在にされているとともに、このレールとしては、薄いシート状のものが用いられている。このように薄くされているのは、レール上を例えばフォークリフトなどが容易に乗り越えられるようにするためである。
【０００３】
このようなレールが敷設された床部構造は、レールが配設された床面上の当該レールの両側に、レールの上面と同一高さからレールから離れるにしたがって下位となるような傾斜したスロープ部が設けられたものであり、さらにこのスロープ部の端縁がめくれないようにされたものである。
【０００４】
すなわち、スロープ部の端縁に対応する床面には凹状部（溝部）が形成されるとともに、この凹状部内にスロープ部の端部が嵌り込むように、スロープ部が形成されていた（例えば、特許文献１参照）。より、具体的には、床面上にスロープ部がモルタルなどにより、直接、形成されていた。
【特許文献１】特開平０９−１８７３２５号公報
【発明の開示】
【発明が解決しようとする課題】
【０００５】
しかし、上記従来の構成によると、例えばレールを撤去する必要が生じた場合、当然にスロープ部も撤去する必要があるが、このスロープ部の剥離作業は、例えば床面がコンクリートなどで形成されている場合には、強固に付着しており、したがって剥離作業が非常に困難になるという問題があり、また剥離後においても、床面の補修が必要になるという問題もあった。
【０００６】
そこで、上記課題を解決するため、本発明は、床面上に配設されたレールおよびスロープ部の撤去を容易に行い得る床部の形成方法および床部構造を提供することを目的とする。
【課題を解決するための手段】
【０００７】
上記課題を解決するため、本発明の請求項１に係る床部の形成方法は、床面上に離形材を配置するステップと、
上記離形材の上面に所定厚さの移動棚用シート状レールを固定具で固定するステップと、
レールから所定距離はなれた位置に所定幅の端部プレートをレールの両側に固定具で固定するステップと、
上記レールを車両が乗り越えるため、上記離形材の上面で上記端部プレートとレールとの間に、当該レールから離れるにしたがってその上面が下位となるように傾斜されたスロープ部をモルタルにより形成するステップとを具備した方法である。
【０００８】
また、請求項２に係る床部の形成方法は、請求項１に記載の形成方法において、レールと端部プレートとの間における離形材の上面に金網を配置するステップを具備した方法である。
【０００９】
また、請求項３に係る床部の形成方法は、請求項１または２に記載の形成方法において
、スロープ部を形成する際に、型枠を用いる方法である。
また、請求項４に係る床部構造は、床面上に、所定厚さの移動棚用シート状レールおよびこのレールの両側に、このレールを車両が乗り越えるためのスロープ部をモルタルにより形成する際に、少なくともレールおよびスロープ部と床面との間に離形材を配置するとともに、レールから所定距離はなれた位置に所定幅の端部プレートを固定具で固定し、且つ上記スロープ部を、レールから離れるにしたがってその上面が下位となるように傾斜させて形成しているものである。
【００１０】
また、請求項５に係る床部の形成方法は、床面上に離形材を配置するステップと、
上記離形材の上面に所定厚さの移動棚用シート状レールを固定具で固定するステップと、
上記離形材の上面に上記レールの両側に当該レールを車両が乗り越えるための、当該レールから離れるにしたがってその上面が下位となるように傾斜され且つ下面が開放されたスロープ状の殻状部材を固定具で固定するステップと、上記殻状部材の内部にモルタルを充填するステップとを具備した方法である。
【００１１】
また、請求項６に係る床部の形成方法は、請求項５に記載の形成方法において、モルタ
ルの替わりに、砂およびウレタン樹脂を用いる方法である。
また、請求項７に係る床部構造は、床面上に、所定厚さの移動棚用シート状レールを固定具で固定するとともにこのレールの両側に上記レールを車両が乗り越えるためのスロープ部を形成する際に、少なくともレールおよびスロープ部と床面との間に離形材を配置するとともに、上記レールから離れるにしたがってその上面が下位となるように傾斜され且つ下面が開放されたスロープ状の殻状部材を固定具で固定し、内部にモルタルを充填させることにより形成したものである。 
【００１２】
さらに、請求項８に係る床部構造は、請求項７に記載の床部構造において、モルタルの替わりに、砂およびウレタン樹脂を用いたものである。
【発明の効果】
【００１３】
上記の構成によると、床面上に離形材を配置した後、移動棚用レールおよびこのレールの両側方に端部プレートを固定具で固定するとともにこれらレールと端部プレートとの間に、または床面上に離形材を配置した後、移動棚用レールを固定具で固定するとともに当該レールの両側方に、当該レールを車両が乗り越えるためのスロープ部を形成したので、例えば従来の構成のように、めくれ防止用の凹状部を形成するとともに当該凹状部内にスロープ部の縁部を入り込ませるようにしたものに比べて、床部の形成作業が非常に容易に行うことができる。
【００１４】
また、床面上に離形材を配置しているので、例えば移動棚用レールを含めてスロープ部を撤去する際に、その撤去作業が非常に容易となる。
【発明を実施するための最良の形態】
【００１５】
［実施の形態１］
以下、本発明の実施の形態１に係る床部の形成方法および床部構造について、図１〜図３に基づき説明する。
【００１６】
なお、本実施の形態１（実施の形態２も同様である）においては、移動棚設備における床部について説明する。勿論、この他、台車などを移動させるために、床面上にレールおよびスロープ部が形成された床部にも適用し得る。
【００１７】
一般に、移動棚設備は、図１に示すように、工場、倉庫などの既設の床面１上に、シート状レール（以下、単にレールという）２が複数本平行に敷設されるとともに、これら各レール２上を複数の移動棚３が車輪を介して移動自在に配置されたものである。
【００１８】
そして、上述したように、工場内または倉庫内では、例えばフォークリフトなどの車両が移動し得るように、レール２はできるだけ薄いシート状のものが用いられており、またレール２の両側には当該レール２を車両が容易に乗り越えることができるようにスロープ部（後述する）が設けられるとともに、これらレール２およびスロープ部が容易に撤去できるようにされている。
【００１９】
以下、レールおよびスロープ部の形成方法（施工方法ともいえる）を、図２および図３に基づき説明する。
まず、既設の床面（例えば、コンクリート製、モルタル製または合板製の床面）１上の所定範囲の全面に亘って、シリコン製の離形材１１を塗布する。なお、図３は、レール２の一部だけを図示しており、この図示されている範囲（斜線にて示す）を、一応、所定範囲Ｓとして説明する。
【００２０】
次に、床面１上の所定位置に、薄い板状のレール（例えば、１２ｔ×５０ｗの帯板が用いられる）２を配置した後、固定具（例えば、アンカーボルトが用いられる）１２により固定する。なお、以下、部材を床面上に配置し固定具により固定する作業（または動作）を配設と称する。
【００２１】
次に、レール２とは反対側の離形材１１の外縁部には、当該外縁部に沿って所定幅の端部プレート（例えば、１．６ｔ×４０ｗの帯板が用いられる）１３を、複数本の固定具（例えば、アンカーが用いられる）１４により床面１上に固定する（配設する）。
【００２２】
次に、このレール２の両側で且つ端部プレート１３との間に、車輪４の鍔部４ａを案内するための所定幅（例えば、１５ミリ程度）の溝部Ｔが形成されるように、所定幅Ｌの金網（ラスともいう）１５を複数本の固定具（例えば、アンカーが用いられる）１６により床面１上に固定する（配設する）。
【００２３】
次に、レール２と端部プレート１３との間、つまり、金網１５の上面に、レール２の上面位置と端部プレート１３上面とを接続するように、レール２から離れるにしたがって下位となるようなスロープ部１７を形成する。
【００２４】
すなわち、型枠を用いて樹脂モルタル（通常のセメントモルタルでもよい）によりスロープ部１７を形成する。このスロープ部１７の断面形状は、図２に示すように、外側の頂角が非常に小さい直角三角形状となる。なお、型枠については、例えばレール２に対して直交する方向の端壁面を形成するために当該レール２に沿う所定間隔でもって配置される前後一対の端壁部枠材と、レール２に沿って配置されて溝部Ｔを形成するための所定幅で且つ所定長さの発砲スチロール（板材などでもよい）とから構成されたもので、またレール２とは反対側の側縁部枠材については、端部プレート１３がその役目を果たすことになる。勿論、スロープ部１７の傾斜面は、作業者により、鏝（こて）を用いてなだらかに仕上げられる。
【００２５】
上記手順（工程）により、レール２の両側に溝部Ｔを挟んで、レール２の上面位置から順次低くなるスロープ部１７が形成されたことになる。なお、溝部Ｔには、車輪４の鍔部４ａが案内される。
【００２６】
上述したように、床面１上に離形材１１を塗布した後、レール２を配設するとともに、その両側の所定位置に端部プレート１３を配設し、そしてレール２と端部プレート１３との間に金網１５を配設した後、この上にスロープ部１３を形成したので、例えば従来の構成のように、めくれ防止用の凹状部を形成するとともに当該凹状部内にスロープ部の縁部を入り込ませるようにしたものに比べて、床部の形成作業を非常に容易に行うことができる。
【００２７】
また、床面１上に離形材１１を配置したので、例えばレール２を含めてスロープ部１７を撤去する際に、その撤去作業が非常に容易となる。
ここで、上記床部の形成方法および床部構造を簡単に記載しておく。
【００２８】
すなわち、床部の形成方法は、床面上に離形材を配置した後、所定厚さのシート状レールを配設するとともに、レールから所定距離はなれた位置に所定幅の端部プレートを配設し、この端部プレートとレールとの間における離形材の上面に金網を配置した後、当該レールから離れるにしたがってその上面が下位となるように傾斜されたスロープ部をモルタルにより形成する方法である。
【００２９】
また、床部構造は、床面上に、所定厚さのシート状レールおよびこのレールの側方にスロープ部をモルタルにより形成する際に、少なくともレールおよびスロープ部と床面との間に離形材を配置し、上記レールから所定距離はなれた位置に所定幅の端部プレートを配設するとともにレールと端部プレートとの間の離形材上に金網を配設し、且つ上記スロープ部を、レールから離れるにしたがってその上面が下位となるように傾斜させたものである。
【００３０】
さらに、上記床部の形成方法をステップ形式にて記載しておく。
この床部の形成方法は、床面上に離形材を配置するステップと、上記離形材の上面に所定厚さのシート状レールを配設するステップと、レールから所定距離はなれた位置に所定幅の端部プレートを配設するステップと、上記レールと端部プレートとの間における離形材の上面に金網を配置するステップと、上記端部プレートとレールとの間に、当該レールから離れるにしたがってその上面が下位となるように傾斜されたスロープ部をモルタルにより形成するステップとを具備した方法である。すなわち、離形材と端部プレートとの配置順序、および端部プレートと金網との配置順序については、適宜、変更し得るものである。
【００３１】
なお、本実施の形態１においては、端部プレートの下面には離形材を塗布しないものとして説明したが、離形材を端部プレートの下面まで塗布するようにしてもよい。勿論、この場合の配置順序は、離形材を塗布した後に端部プレートが配置されることになる。
【００３２】
また、本実施の形態１においては、移動棚の車輪として、鍔部が有るものについて説明したが、鍔部が無いものであってもよい。この場合は、溝部が不要となる。
［実施の形態２］
次に、本発明の実施の形態２に係る床部の形成方法および床部構造を、図４に基づき説明する。
【００３３】
上記実施の形態１においては、レールの両側にスロープ部を形成する際に、型枠に樹脂モルタルを流し込むように説明したが、本実施の形態２においては、型枠そのものも利用してスロープ部を形成するようにしたものである。
【００３４】
すなわち、本実施の形態２においては、スロープ部として、当該スロープ部の表面形状を有するとともに底面が開放されて内部に充填用空間部が形成された殻状体（殻状部材）を用いたものである。
【００３５】
すなわち、図４に示すように、この殻状体２１を正確に説明すると、溝部Ｔ側のフランジ部２１ａと、このフランジ部２１ａの端縁から立設する立設部２１ｂと、この立設部２１ｂの上端から外側（レールから離れる側）に向かってなだらかに（直線状に、膨らむように、または円弧状に）傾斜する傾斜部２１ｃと、この傾斜部２１ｃからさらに外側に延設された端縁部（延設部ともいえる）２１ｄとから構成されている。勿論、この殻状体２１の材料としては、厚さが０．６ｍｍ（０．６ｔ）の薄いメッキ鋼板が用いられている。なお、殻状体２１の端縁部２１ｄは、実施の形態１における端部プレートの役目を果たすものである。
【００３６】
この殻状体２１を用いた床部の形成方法について説明する。
まず、図４に示すように、既設の床面（例えば、コンクリート製、モルタル製または合板製の床面）１上の所定範囲の全面に亘って、シリコン製の離形材１１を塗布する。
【００３７】
次に、床面１上の所定位置に、薄い板状のレール（例えば、１２ｔ×５０ｗの帯板が用いられる）２を配置した後、固定具（例えば、アンカーボルトが用いられる）１２により固定する。
【００３８】
次に、レール２の両側に殻状体２１を配置し、そしてその周縁部を固定具（例えば、アンカーとしての皿ボルトが用いられる）２２により固定する。具体的には、フランジ部２１ａ、側縁部２１ｂ、および端縁部２１ｄを固定具２２により固定する。なお、ここでは、端縁部２１ｄの下面には離形材は塗布されていない。
【００３９】
次に、殻状体２１の上面の適所に形成された穴部２１ｅから樹脂モルタル２３を内部に、すなわち充填用空間部に注入する。
そして、注入された樹脂モルタル２３が乾燥すれば、樹脂モルタル２３が充填された殻状体２１からなるスロープ部２４が形成される。つまり、レール２とスロープ部２４とからなる床部の形成作業が完了したことになる。
【００４０】
この実施の形態２においても、実施の形態１と同様の効果が得られる。
すなわち、レール２およびスロープ部２４を撤去する場合は、レール２の固定具１２を抜くとともに、殻状体２１の固定具２２を抜いた後、レール２および樹脂モルタル２３が充填された殻状体２４をそのまま除去すればよい。勿論、離形材１１が配置されているため、その撤去作業を容易に行うことができる。なお、上記の説明においては、離形材を端縁部２１ｄの手前までの範囲に塗布するように説明したが、端縁部２１ｄの下面まで離形材を塗布するようにしてもよく、この場合、その撤去作業をより容易に行うことができる。
【００４１】
ここで、上記床部の形成方法および床部構造を簡単に記載しておく。
すなわち、床部の形成方法は、床面上に離形材を配置した後、所定厚さのシート状レールを配設し、このレールから離れるにしたがってその上面が下位となるように傾斜され且つ下面が開放された所定幅のスロープ状殻状体を配設し、この殻状体の内部にモルタルを充填する方法である。
【００４２】
また、床部構造は、床面上に、所定厚さのシート状レールを配設するとともにこのレールの両側にスロープ部を形成する際に、少なくともレールおよびスロープ部と床面との間に離形材を配置し、さらに上記スロープ部を、レールから離れるにしたがってその上面が下位となるように傾斜され且つ下面が開放された所定幅のスロープ状殻状体の内部にモルタルを充填させることにより形成したものである。
【００４３】
さらに、上記床部の形成方法をステップ形式にて記載しておく。
すなわち、この床部の形成方法は、床面上に離形材を配置するステップと、上記離形材の上面に所定厚さのシート状レールを配設するステップと、上記レールから離れるにしたがってその上面が下位となるように傾斜され且つ下面が開放された所定幅のスロープ状殻状体を配設するステップと、上記殻状体の内部にモルタルを充填するステップとを具備した方法である。
【００４４】
ところで、上記実施の形態２において、殻状体２１内の充填用空間部に、樹脂モルタル２３を充填するように説明したが、適当な量（例えば、半分程度）の砂を入れた後、ウレタン樹脂を充填するようにしてもよい。
【００４５】
また、上記実施の形態２においては、レール２の両側に溝部Ｔを形成するように説明したが、例えば図５に示すように、溝部を設ける必要がない場合には、フランジ部は設けられず、したがってレール２の側面に、殻状体２１の立設部２１ｂが、直接、接触するようにされる。勿論、この場合も、離形材１１については、殻状体２１の端縁部２１ｄの下面まで塗布してもよい。
【００４６】
また、上記各実施の形態においては、離形材としてシリコンを塗布して、シリコン膜を形成するように説明したが、例えばナイロンシートなどの薄い養生シートを配設するようにしてもよい。
【図面の簡単な説明】
【００４７】
【図１】本発明の実施の形態１に係る棚設備の概略構成を示す斜視図である。
【図２】同実施の形態１に係る棚設備の床部構造を示す断面図である。
【図３】同床部構造の平面図である。
【図４】同実施の形態２に係る棚設備の床部構造を示す断面図である。
【図５】同床部構造の変形例を示す断面図である。
【符号の説明】
【００４８】
１      床面
２      レール
３      移動棚
４      車輪
４ａ    鍔部
１１      離形材
１２      固定具
１３      端部プレート
１４      固定具
１５      金網
１６      固定具
１７      スロープ部
２１      殻状体
２１ａ    フランジ部
２１ｂ    立設部
２１ｃ    傾斜部
２１ｄ    端縁部
２１ｅ    穴部
２２      固定具
２３      樹脂モルタル
２４      スロープ部
【図１】
0004973368.tif 000002
【図２】
0004973368.tif 000003
【図３】
0004973368.tif 000004
【図４】
0004973368.tif 000005
【図５】
0004973368.tif 000006